(57)【要約】【課題】配線作業の邪魔にならない扉ストッパを提供すること。【解決手段】キャビネット本体若しくは扉のいずれか一方に固定される受け蝶番３と、他方に固定される蝶番本体２と、受け蝶番３に設けられた穴部３１に係脱自在に嵌合する蝶番ピン４と、蝶番ピン４を上下移動させるために操作する操作レバー５を備えた蝶番１であって、蝶番ピン４の軸部に係合部を備え、前記係合部が受け蝶番３に設けられた被係合部に係合する係合状態とすることにより扉のストッパ機能を発揮する構成とする。【選択図】図１
2018135714.tif 000002
【特許請求の範囲】
【請求項１】
キャビネット本体若しくは扉のいずれか一方に固定される受け蝶番と、他方に固定される蝶番本体と、受け蝶番に設けられた穴部に係脱自在に嵌合する蝶番ピンと、蝶番ピンを上下移動させるために操作する操作レバーを備えた蝶番であって、蝶番ピンの軸部に係合部を備え、前記係合部が受け蝶番に設けられた被係合部に係合する係合状態とすることにより扉のストッパ機能を発揮する蝶番。
【請求項２】
係合部は軸部の長手方向に沿って設けられたギア状の溝であり、被係合部は、穴部に設けた切り欠き部である請求項１に記載の蝶番。
【請求項３】
操作レバーの操作により蝶番ピンの位置を回動位置にすることで、受け蝶番若しくは蝶番本体が回動可能な状態とすることができ、蝶番ピンの位置を取り外し位置にすることで、蝶番ピンが穴部から抜け出た状態とすることができる請求項１又は２に記載の蝶番。
【発明の詳細な説明】
【技術分野】
【０００１】
本発明は、蝶番に関するものである。
【背景技術】
【０００２】
特許文献１に記載されているように、扉に固定される受け蝶番と、キャビネット本体に固定される蝶番本体と、受け蝶番に設けられた穴部に係脱自在に嵌合する蝶番ピンと、蝶番ピンを上下移動させるために操作する操作レバーを備えた蝶番は知られている。このような蝶番は、作業中に空けた扉が不意に閉まり、ケーブル類を挟み込む虞がある。そこで、特許文献２に記載されているように、扉が開いた状態が維持できるストッパの役割を果たすために、キャビネットの下部に水平方向に延びる棒状の部材を取り付けることがなされている。
【先行技術文献】
【特許文献】
【０００３】
【特許文献１】特開２００７−３１５０２３号公報
【特許文献２】特開２０１１−０５２３７０号公報
【０００４】
ところで、キャビネットの下部に棒状の部材があることにより、ケーブルの端部等が挟まり配線作業の邪魔になることがある。また、部品点数を増加させるものでもある。
【発明の概要】
【発明が解決しようとする課題】
【０００５】
本件の発明者は、この点について鋭意検討することにより、解決を試みた。本発明の課題は、配線作業の邪魔にならない扉ストッパを提供することである。
【課題を解決するための手段】
【０００６】
上記課題を解決するため、キャビネット本体若しくは扉のいずれか一方に固定される受け蝶番と、他方に固定される蝶番本体と、受け蝶番に設けられた穴部に係脱自在に嵌合する蝶番ピンと、蝶番ピンを上下移動させるために操作する操作レバーを備えた蝶番であって、蝶番ピンの軸部に係合部を備え、前記係合部が受け蝶番に設けられた被係合部に係合する係合状態とすることにより扉のストッパ機能を発揮する蝶番とする。
【０００７】
係合部は軸部の長手方向に沿って設けられたギア状の溝であり、被係合部は、穴部に設けた切り欠き部であることが好ましい。
【０００８】
操作レバーの操作により蝶番ピンの位置を回動位置にすることで、受け蝶番若しくは蝶番本体が回動可能な状態とすることができ、蝶番ピンの位置を取り外し位置にすることで、蝶番ピンが穴部から抜け出た状態とすることができる構成とすることが好ましい。
【発明の効果】
【０００９】
本発明では、配線作業の邪魔にならない扉ストッパを提供することが可能となる。
【図面の簡単な説明】
【００１０】
【図１】蝶番の斜視図である。
【図２】蝶番本体に取り付けられた蝶番ピンを係合位置に設定した状態を示す斜視図である。
【図３】扉に固定された受け蝶番周りの図である。
【図４】蝶番本体に取り付けられた蝶番ピンを回動位置に設定した状態を示す斜視図である。
【図５】蝶番本体に取り付けられた蝶番ピンを取り外し位置に設定した状態を示す斜視図である。
【図６】ラックの全体図である。
【発明を実施するための形態】
【００１１】
以下に発明を実施するための形態を示す。図１に示すことから理解されるように、本実施形態の蝶番１は、キャビネット本体若しくは扉９１のいずれか一方に固定される受け蝶番３と、他方に固定される蝶番本体２と、受け蝶番３に設けられた穴部３１に係脱自在に嵌合する蝶番ピン４と、蝶番ピン４を上下移動させるために操作する操作レバー５を備えている。また、蝶番ピン４の軸部に係合部を備え、前記係合部が受け蝶番３に設けられた被係合部に係合する係合状態とすることにより扉９１のストッパ機能を発揮することができる。このため、蝶番１の着脱構造の仕組みを用いてストッパの機能を持たせることが可能となる。作業時に配線が位置する箇所に余分な部品が追加されないため、配線作業の邪魔にならない扉ストッパを提供することが可能となる。
【００１２】
以下、主にサーバなどを搭載するラックに取り付けられる蝶番１について、受け蝶番３が扉９１に固定され、蝶番本体２がキャビネット本体に固定される場合を例に説明する。蝶番本体２はキャビネット本体の開口周縁に位置するように固定される。図６に示す実施形態では、蝶番１はラックの上下部と中間３箇所に設けられ、扉９１を回動自在に支持している。図２に示すように、蝶番本体２には蝶番ピン４が差し込まれている。蝶番ピン４は、先端が回動軸４１、中間部に図示しないラック、回動軸４１とラックの間に軸部の長手方向に沿って設けられたギア状の溝４２を備えている。このギア状の溝４２は係合部の役割を担う。また、図３に示す例では、受け蝶番３の穴部３１に設けた切り欠き部３２が被係合部である。前記切り欠き部３２はギア状の溝４２に対応する形状に形成されている。従って、扉９１を任意の角度まで回動させた後、後述する操作レバー５を係合位置に操作することで扉９１を所望の角度で保持することができる。
【００１３】
蝶番ピン４の中間部に設けられたラックは、図示しないピニオンと係合しており、操作レバー５を回してピニオンを回転させることにより、蝶番ピン４を直線的に移動させることができる。つまり、操作レバー５を操作することで、蝶番ピン４の蝶番本体２からの突出量を変化させることができる。
【００１４】
操作レバー５の操作により蝶番ピン４の位置を図４に示すような回動位置にすることで、穴部３１に嵌った蝶番ピン４を中心として受け蝶番３若しくは蝶番本体２が回動可能な状態（扉９１が回動可能な状態）とすることができる。また、図５に示すように、蝶番ピン４の位置を取り外し位置にすることで、蝶番ピン４が穴部３１から抜け出た状態とすることができる。つまり、操作レバー５の操作により、蝶番ピン４を係合位置、回動位置、取り外し位置とするだけで、扉９１の拘束状態を変化させることができるため、使い勝手が良いものとすることができる。なお、蝶番本体２の操作レバー５が回動する軌道上に、操作レバー５と係合する突起状のストッパ２１を設けることにより、操作レバー５を回動位置で保持できるようにすることが望ましい。
【００１５】
図３に示すことから理解されるように、本実施形態の受け蝶番３は、扉９１の内側端部に固定される。本実施形態の受け蝶番３は、Ｌ字状の側板に天板及び底板を備えたものであり、天板及び底板のいずれにも穴部３１を設けている。扉９１をキャビネット本体に取り付ける際に蝶番ピン４が嵌められる穴部３１は、このうちの一方側だけで良いが、本実施形態のように、天板及び底板のいずれにも穴部３１を設けておけば、扉９１を右開きと左開きのいずれにも使用することができるようになる。
【００１６】
主にサーバなどを搭載するラックは、屋内で使用することが主であるため、扉９１は板厚が薄い。このため、本実施形態の蝶番１を一カ所に設けるだけでも、十分にストッパの機能をし得るが、不意の外力に対応するために、複数カ所に設けるものとすることも可能である。なお、本実施形態の蝶番１を一つだけ設ける場合は、扉９１の上下方向の中央に本実施形態の蝶番１を設けものとするのが好ましい。本実施形態の蝶番１を操作しやすいからである。なお、この場合、その他の蝶番はストッパ機能の無い蝶番とすればよい。
【００１７】
以上、一つの実施形態を中心に説明してきたが、本発明は上記実施形態に限定されることはなく、各種の態様とすることが可能である。例えば、蝶番ピンの先端側に係合部として機能するギア状の溝を設け、ラックとギア状の溝の間に回動軸を設けた構成とすることも可能である。また、蝶番ピン４の先端にもギア状の溝４２を設け、係合位置では上下の穴部３１の切り欠き部３２に係合することで保持力を増す構造としてもよい。
【００１８】
また、係合部と被係合部の組み合わせは、溝と切り欠き部に限定されるものではなく、その他の態様とすることも考えらえる。例えば、係合部を蝶番ピンの先端に設けた切り欠きとし、被係合部は受け蝶番に設けた板材とすることなども可能である。
【００１９】
また、蝶番本体に係合突起を設け、操作レバーの回動位置を保持したり、回動範囲を規制したりすることも可能である。
【符号の説明】
【００２０】
１  蝶番
２  蝶番本体
３  受け蝶番
４  蝶番ピン
５  操作レバー
３１  穴部
３２  切り欠き部
４２  溝
９１  扉
【図１】
2018135714.tif 000003
【図２】
2018135714.tif 000004
【図３】
2018135714.tif 000005
【図４】
2018135714.tif 000006
【図５】
2018135714.tif 000007
【図６】
2018135714.tif 000008